(57)【要約】【課題】ユーザがダストボックスの固定を忘れることを防止可能な室内機を提供する。【解決手段】室内機の筐体２に形成され、ダストボックス３を収納可能な収納用凹部５と、収納用凹部５の開口部を跨いで配置された固定板４とを備えるようにした。そして、ダストボックス３が収納用凹部５から抜ける方向（前方向）への移動を阻止するように、固定板４の中央部側（押圧部２５）でダストボックス３が押圧されるようにした。さらに、固定板４の端部側（上端４ｃ側）が筐体２に着脱可能に取り付けられるようにした。【選択図】図５
2019158293.tif 000002
【特許請求の範囲】
【請求項１】
エアフィルタから回収されたゴミを収容するダストボックスを備える室内機であって、
前記室内機の筐体に形成され、前記ダストボックスを収納する収納用凹部と、
前記収納用凹部の開口部を跨いで配置され、前記ダストボックスが前記収納用凹部から抜ける方向への移動を阻止するように、中央部側が前記ダストボックスを押圧し、端部側が前記筐体に着脱可能に取り付けられた固定板と、を備えることを特徴とする室内機。
【請求項２】
前記開口部は、左右方向に長く、前記筐体の前面に形成されており、
前記筐体は、
前記前面の前記開口部よりも上側の位置に形成された爪受部と、
前記前面の前記開口部よりも下側の位置に形成され、前記固定板が前記開口部を跨いだ状態となるように、前記固定板を回動可能な回動機構と、を備え、
前記固定板は、
前記固定板が前記開口部を跨いだ状態で、前記爪受部に引っ掛かる爪部と、
前記固定板の回動軸と前記爪部との間に形成され、前記固定板が前記開口部を跨いだ状態で、前記ダストボックスを押圧する押圧部と、を有することを特徴とする請求項１に記載の室内機。
【請求項３】
前記ダストボックスは、前記押圧部から付与される押圧力により、前記ダストボックスを前記筐体に固定する固定機構を備えることを特徴とする請求項２に記載の室内機。
【請求項４】
前記固定板は、前記爪部と前記押圧部との間に当該固定板の他の部位よりも弾性変形しやすい柔軟部を有することを特徴とする請求項３に記載の室内機。
【請求項５】
前記柔軟部は、側面視で、クランク状に形成された部位であることを特徴とする請求項４に記載の室内機。
【発明の詳細な説明】
【技術分野】
【０００１】
本発明は、室内機に関する。
【背景技術】
【０００２】
従来、エアフィルタを清掃してダストボックスに回収する清掃機能を備える室内機が提案されている（例えば、特許文献１参照。）。特許文献１に記載の室内機では、ダストボックスの中央部や端部にスライド式のロックレバーが設けられている。そして、ユーザが、ロックレバーをスライドさせて、ダストボックスを筐体に固定するようになっている。
しかしながら、特許文献１に記載の室内機では、ユーザがロックレバーをスライドさせる操作を忘れた場合、筐体へのダストボックスの固定が行われていないことに気づき難く、ダストボックスが固定されないまま室内機が使用されてしまう可能性があった。
【先行技術文献】
【特許文献】
【０００３】
【特許文献１】特許第４５１３９５７号公報
【発明の概要】
【発明が解決しようとする課題】
【０００４】
本発明は、上記のような課題に着目したもので、ユーザがダストボックスの固定を忘れることを防止可能な室内機を提供することを目的とする。
【課題を解決するための手段】
【０００５】
上記課題を解決するために、本発明の一態様は、（ａ）エアフィルタから回収されたゴミを収容するダストボックスを備える室内機であって、（ｂ）室内機の筐体に形成され、ダストボックスを収納する収納用凹部と、（ｃ）収納用凹部の開口部を跨いで配置され、ダストボックスが収納用凹部から抜ける方向への移動を阻止するように、中央部側がダストボックスを押圧し、端部側が筐体に着脱できるように取り付けられた固定板と、を備えることを特徴とする室内機であることを要旨とする。
【発明の効果】
【０００６】
本発明によれば、ダストボックスの固定状態をユーザが直感的に把握できる。そのため、ユーザがダストボックスの固定を忘れることを防止可能な室内機を提供できる。
【図面の簡単な説明】
【０００７】
【図１】本発明の実施形態に係る室内機を示す斜視図である。
【図２】ダストボックスを取り外した室内機を示す斜視図である。
【図３】ダストボックスの収納方法を説明するための説明図である。
【図４】爪受部を示す斜視図である。
【図５】回動機構及び固定板を示す側面図である。
【図６】固定機構を示す断面図である。
【図７】固定機構の動作を説明するための説明図である。
【図８】固定板を示す図であって、（ａ）は側面図であり、（ｂ）は背面図である。
【図９】固定板の動作を説明するための説明図である。
【図１０】柔軟部の効果を説明するための説明図である。
【図１１】変形例に係る固定板を示す背面図である。
【図１２】変形例に係る固定板を示す背面図である。
【発明を実施するための形態】
【０００８】
以下、本発明の実施形態に係る室内機について、図面を参照しつつ説明する。
本実施形態では、エアフィルタを清掃してゴミをダストボックスに収容する清掃機能を備える室内機に、本発明の実施形態に係る室内機を適用した場合を例として説明する。
なお、以下に示す実施形態は、本発明の技術的思想を具体化するための方法や装置を例示するものである。本発明の技術的思想は、構成部品の形状、構造、配置等を下記のものに特定されるものでない。本発明の技術的思想は、請求の範囲に記載された請求項が規定する技術的範囲内において、種々の変更を加えることができる。
【０００９】
（実施形態）
（構成）
図１に示すように、本発明の実施形態に係る室内機１は、筐体２と、ダストボックス３と、ダストボックス３を筐体２に固定するための固定板４と、を備えている。
（筐体）
図２に示すように、筐体２の前面には、収納用凹部５が形成されている。収納用凹部５は、左右方向に長い開口部６と、略長方体状の内部空間７とを有している。内部空間７は、ダストボックス３よりも若干大きく形成されている。そして、図３に示すように収納用凹部５は、開口部６からダストボックス３を内部空間７に収納できるようになっている。
【００１０】
また、開口部６の内周の上側中央部には、下方に突出している直方体状の凸部８が形成されている。図６に示すように、凸部８の左側面には、収納用凹部５にダストボックス３が収納されたときに、ダストボックス３に形成された左側凸部１８と対向する位置に、左側凹部９が形成されている。左側凸部１８は、後述する固定機構１２を構成する円柱状の部材である。また、凸部８の右側面には、収納用凹部５にダストボックス３が収納されたときに、ダストボックス３に形成された右側凸部１９と対向する位置に、右側凹部１０が形成されている。右側凸部１９は、固定機構１２を構成する円柱状の部材である。
また、筐体２の前面の開口部６よりも上側の位置には、爪受部１１が形成されている。図４に示すように、爪受部１１は、開口部が長方形状とされ、固定板４の爪部２３が引っ掛かるように、爪受部１１の内部の下面が入口側から奥側に向かうほど下がっている。
【００１１】
また、図５に示すように、筐体２の前面の開口部６よりも下側の位置には、固定板４の回動機構２０が形成されている。回動機構２０は、筐体２の前面の中央部よりも右側の位置に形成された右側支持部２１と、左側の位置に形成された不図示の左側支持部とを備えている。右側支持部２１及び左側支持部は、左右方向に延びている回動軸２２を中心に固定板４が上下方向に回動可能となるように、固定板４の一端４ａ（以下、「下端４ａ」とも呼ぶ）側を支持している。そして、固定板４は、図３に示すように、筐体２から垂れ下がって、ダストボックス３の抜き差しが可能となる状態と、図１に示すように、開口部６を跨いで、ダストボックス３の抜き差しを妨げる状態とを実現できるようになっている。
【００１２】
（ダストボックス）
ダストボックス３は、収納用凹部５に収納された状態で、エアフィルタ（不図示）がダストボックス３の内部を上下方向に移動できるように、上面及び下面が開口された略直方体状に形成されている。また、ダストボックス３の内部には、例えばエアフィルタを前面側及び背面側から挟むように対になったブラシ（不図示）が配置されている。そして、室内機１は、エアフィルタをダストボックス３の内部で上下方向に移動させることで、エアフィルタの表面に付着しているゴミを、対になったブラシにこすり落とさせ、エアフィルタからゴミを回収して、回収したゴミをダストボックス３内に収容するようになっている。なお、ブラシは、必ずしも対になっている必要はなく、エアフィルタの前面側又は背面側のいずれか一方側にのみ配置されていてもよい。  エアフィルタの表面に付着しているゴミをブラシでこすり落とさせるためには、エアフィルタの表面にブラシの先端を適切に当てる必要がある。ブラシは、ダストボックス３内に配置されているため、ブラシの先端をエアフィルタの表面に適切に当てるためには、ダストボックス３が筐体２に正しく固定されていることが望まれる。対になったブラシでエアフィルタを挟むタイプの室内機１の場合は、対になったブラシの先端をエアフィルタの表面に適切に当てる必要があるため、ダストボックス３が筐体２に正しく固定されていることがより望まれる。
【００１３】
また、図６に示すように、ダストボックス３は、ダストボックス３を筐体２に固定するための固定機構１２を備えている。固定機構１２は、ダストボックス３の前面の中央部よりも左側の位置に設けられた左側スライド部材１３と、前面の中央部よりも右側の位置に設けられた右側スライド部材１４とを備えている。そして、左側スライド部材１３及び右側スライド部材１４は、ダストボックス３の前面に沿って左右方向にスライドするようになっている。また、左側スライド部材１３には、固定板４の押圧部２４が接触する傾斜面１５が形成されている。傾斜面１５は、上面視で、右側よりも左側のほうが奥側（収納用凹部５の底面に近づく側）となるように、傾斜している。固定板４の押圧部２４は、上面視で、傾斜面１５との接触時に傾斜面１５と平行となる斜辺３０を有する略台形状の部材である。また、右側スライド部材１４には、固定板４の押圧部２５が接触する傾斜面１６が形成されている。傾斜面１６は、上面視で、左側よりも右側のほうが奥側（収納用凹部５の底面に近づく側）となるように、傾斜している。固定板４の押圧部２５は、上面視で、傾斜面１６との接触時に傾斜面１６と平行となる斜辺３１を有する略台形状の部材である。
【００１４】
さらに、左側スライド部材１３の右側面には、右方に延びている棒状の左側凸部１８が形成されている。そして、図７に示すように、左側凸部１８は、左側スライド部材１３が筐体２の前面を右方にスライドすることで、左側凹部９内に先端部が進入するようになっている。また、右側スライド部材１４の左側面には、左方に延びている棒状の右側凸部１９が形成されている。そして、右側凸部１９は、右側スライド部材１４が筐体２の前面を左方にスライドすることで、右側凹部１０内に先端部が進入するようになっている。
【００１５】
（固定板）
図８に示すように、固定板４の裏面４ｂの上端４ｃ側には、固定板４が開口部６を跨いだ状態とされたときに爪受部１１と対向する位置に、爪部２３が形成されている。裏面４ｂは、固定板４が開口部６を跨いだ状態とされたときに、筐体２の前面と対向する面である。また、上端４ｃは、下端４ａと反対側に位置する端部である。固定板４が開口部６を跨いだ状態では、爪部２３が爪受部１１に引っ掛かるようになっている。これにより、室内機１は、固定板４が開口部６を跨いだ状態で、固定板４を筐体２に固定できる。即ち、室内機１は、固定板４の上端４ｃ側が、筐体２に着脱できるように取り付けられる。
また、固定板４の裏面４ｂの回動軸２２と爪部２３との間には、互いに左右に離間して配置された台形状の押圧部２４、２５が形成されている。そして、固定板４が開口部６を跨いだ状態とされると、押圧部２４の斜辺３０が左側スライド部材１３の傾斜面１５を押圧するとともに、押圧部２５の斜辺３１が右側スライド部材１４の傾斜面１６を押圧するようになっている。これにより、室内機１は、固定板４が筐体２に固定されたときに、固定板４の押圧部２４、２５、つまり固定板４の中央部側がダストボックス３を押圧するようになっている。そして、その押圧力により、固定機構１２が動作し、ダストボックス３が収納用凹部５から抜ける方向（前方向）に移動することを阻止するようになっている。
【００１６】
その際、図７に示すように、押圧部２４の斜辺３０が傾斜面１５を押圧すると、押圧力に応じて左側スライド部材１３が筐体２の前面を右方向にスライドし、左側凸部１８が左側凹部９に進入する。また、押圧部２５の斜辺３１が傾斜面１６を押圧すると、押圧力に応じて右側スライド部材１４が筐体２の前面を左方向にスライドし、右側凸部１９が右側凹部１０に進入する。そして、左側凸部１８が左側凹部９に進入し、右側凸部１９が右側凹部１０に進入することで、ダストボックス３が筐体２に固定されるようになっている。
【００１７】
また、固定板４の爪部２３と押圧部２４、２５との間には、固定板４の他の部位よりも弾性変形しやすい柔軟部１７が形成されている。柔軟部１７としては、側面視で、クランク状に形成された部位を採用できる。これにより、図９に示すように、室内機１は、固定板４に爪受部１１から爪部２３を外す方向の力が与えられると、柔軟部１７で固定板４が弾性変形する。それゆえ、柔軟部１７以外の部分の弾性変形が抑制され、柔軟部１７よりも下端４ａ側に曲癖（反り）が生じ難い。そのため、曲癖による押圧部２４、２５の押圧力の低下を抑制でき、左側凸部１８の左側凹部９への進入量、及び右側凸部１９が右側凹部１０への進入量の低減を抑制でき、ダストボックス３を筐体２に確実に固定できる。
【００１８】
ここで、柔軟部１７の形状として、裏面４ｂ側に固定板４が突出したクランク状を用いることで、図１０に示すように、筐体２から固定板４が垂れ下がった状態となっているときに、室内機１の前方側（ユーザ側）に固定板４の端部（上端４ｃ）が突出した状態となる。そのため、突出している部分が把持部であるとユーザに直感的に認識させることができる。
また、図１に示すように、筐体２の前面側には、筐体２の上端側から延びているアーム２６、２７を介して、前面パネル２８が配置されている。そして、前面パネル２８は、上方に跳ね上がるように、アーム２６、２７の端部を中心に回動するようになっている。
【００１９】
以上説明したように、本発明の実施形態に係る室内機１では、固定板４を収納用凹部５の開口部６を跨いで配置した。そして、ダストボックス３が収納用凹部５から抜ける方向（前方向）に移動することが阻止されるように、固定板４の中央部側（押圧部２４、２５）でダストボックス３が押圧されるようにした。また、固定板４の端部側（上端４ｃ側）が、筐体２に着脱可能に取り付けられるようにした。それゆえ、本発明の実施形態に係る室内機１によれば、ダストボックス３の固定状態をユーザが直感的に把握できる。そのため、ダストボックス３の固定をユーザが忘れることを防止可能な室内機１を提供できる。
【００２０】
また、本発明の実施形態に係る室内機１では、固定板４が開口部６を跨いだ状態で、筐体２の爪受部１１に固定板４の爪部２３が引っ掛かるようにした。また、固定板４が開口部６を跨いだ状態になると押圧部２４、２５がダストボックス３に押圧力を与えるようにした。それゆえ、簡易な構成で、ダストボックス３を筐体２に確実に固定できる。
また、本発明の実施形態に係る室内機１では、押圧部２４、２５から与えられる押圧力により、ダストボックス３を筐体２に固定する固定機構１２を、ダストボックス３が備えるようにした。それゆえ、固定機構１２に固定を行わせることで、例えば、単にダストボックス３を押圧する方法に比べ、ダストボックス３を筐体２により確実に固定できる。
【００２１】
また、本発明の実施形態に係る室内機１では、爪部２３と押圧部２４、２５との間に、固定板４の他の部位よりも弾性変形しやすい柔軟部１７を、固定板４が有するようにした。それゆえ、固定板４に爪受部１１から爪部２３を外す方向の力が付与されると、柔軟部１７で固定板４が弾性変形する。それゆえ、柔軟部１７以外の部分の弾性変形が抑制され、柔軟部１７以外の部分に曲癖が生じ難い。そのため、曲癖による押圧部２４、２５の押圧力の低下を抑制でき、ダストボックス３を筐体２により確実に固定できる。
また、本発明の実施形態に係る室内機１では、柔軟部１７が、側面視で、クランク状に形成された部位からなるようにしたため、簡易な構成で柔軟部１７を実現できる。
【００２２】
（変形例）
（１）なお、上記実施形態では、固定板４を長方形の板状とする例を示したが、他の構造を採用することもできる。例えば、図１１に示すように、固定板４の上端４ｃの幅方向中央部を幅方向端部よりも低くするようにしてもよい。これにより、爪受部１１から爪部２３を外すときに、ユーザが固定板４の上端４ｃに指を引っ掛けやすい。また、例えば、図１２に示すように、固定板４の上端４ｃ側に複数のリブ２９（凹凸）を設けるようにしてもよい。これにより、固定板４の位置を変えるときに、ユーザが固定板４を掴みやすい。
【００２３】
（２）また、上記実施形態では、筐体２の開口部６よりも上側の位置に爪受部１１を形成する例を示したが、他の構造を採用することもできる。例えば、筐体２の開口部６よりも下側の位置に爪受部１１を形成するようにしてもよい。下側の位置に爪受部１１を形成する場合、回動機構２０の回動軸２２を、筐体２の開口部６よりも上側の位置に形成する。
また、例えば回動機構２０を備えないようにしてもよい。この場合には、例えば、筐体２の開口部６よりも上側の位置と下側の位置との両方に爪受部１１を形成するようにしてもよい。両方に爪受部１１を形成する場合、固定板４の爪部２３も、固定板４の上端４ｃ側と下端ａ側との両方に形成する。そして、筐体２の開口部６よりも上側の爪受部１１が固定板４の上端４ｃ側の爪部２３に引っ掛かり、筐体２の開口部６よりも下側の爪受部１１が固定板４の下端４ａ側の爪部２３に引っ掛かるようにする。
【００２４】
（３）また、上記実施形態では、柔軟部１７をクランク状に形成された部位とする例を示したが、他の構成を採用することもできる。例えば、固定板４の他の部位よりも薄肉の部位としてもよく、幅狭の部位としてもよく、スリットが形成された部位としてもよい。
【符号の説明】
【００２５】
１…室内機、２…筐体、３…ダストボックス、４…固定板、４ａ…下端、４ｂ…裏面、４ｃ…上端、５…収納用凹部、６…開口部、７…内部空間、８…凸部、９…左側凹部、１０…右側凹部、１１…爪受部、１２…固定機構、１３…左側スライド部材、１４…右側スライド部材、１５、１６…傾斜面、１７…柔軟部、１８…左側凸部、１９…右側凸部、２０…回動機構、２１…右側支持部、２２…回動軸、２３…爪部、２４、２５…押圧部、２６、２７…アーム、２８…前面パネル、２９…リブ、３０、３１…斜辺
【図１】
2019158293.tif 000003
【図２】
2019158293.tif 000004
【図３】
2019158293.tif 000005
【図４】
2019158293.tif 000006
【図５】
2019158293.tif 000007
【図６】
2019158293.tif 000008
【図７】
2019158293.tif 000009
【図８】
2019158293.tif 000010
【図９】
2019158293.tif 000011
【図１０】
2019158293.tif 000012
【図１１】
2019158293.tif 000013
【図１２】
2019158293.tif 000014